(57)【要約】【課題】後方への又は前方へのモーメントが発生せずに振動を抑制可能であり、切断力を増大するオービタル運動機構と併用可能であり、振動を抑制する機構の調整を可能とすることで振動をより一層抑制可能である往復動切断工具を提供する。【解決手段】ジグソー１は、モータ２０と、ブレード６を装着したロッド８と、モータ２０の回転をロッド８の上下動に変換してブレード６を上下動させる動力伝達部４と、ロッド８及びブレード６の上下動の範囲外で、ロッド８の上下動の方向に沿って上下動するカウンタウェイト１２とを備えている。カウンタウェイト１２の少なくとも一部は、ロッド８の上下動の軌跡の延長線に交わるように配置される。そして、カウンタウェイト１２は、動力伝達部４によるロッド８の上下動とは独立して上下動する。【選択図】図２
2014217927.tif 000002
【特許請求の範囲】
【請求項１】
モータと、
ブレードを装着したロッドと、
前記モータの回転を前記ロッドの往復動に変換して前記ブレードを往復動させる往復動機構と、
前記ロッド及び前記ブレードの往復動の範囲外で、前記ロッドの往復動の方向に沿って往復動するカウンタウェイトと
を備えており、
前記カウンタウェイトの少なくとも一部は、前記ロッドの往復動の軌跡の延長線に交わるように配置されており、
前記カウンタウェイトは、前記往復動機構による前記ロッドの往復動とは独立して往復動する
ことを特徴とする往復動切断工具。
【請求項２】
前記カウンタウェイトは、カウンタウェイト駆動用偏心カムにより往復動し、
前記カウンタウェイトの一部は、前記ロッドを挟んで、前記カウンタウェイト駆動用偏心カムの反対側まで突出している
ことを特徴とする請求項１に記載の往復動切断工具。
【請求項３】
前記カウンタウェイトは、ウェイト部及び当該ウェイト部を支持するプレート部を有しており、
当該プレート部は、前記ロッドの往復動方向に沿うプレート基部と、当該プレート基部から突出するウェイト支持部を有している
ことを特徴とする請求項１又は請求項２に記載の往復動切断工具。
【請求項４】
前記カウンタウェイトを案内するカウンタウェイトガイドが設けられている
ことを特徴とする請求項１ないし請求項３の何れかに記載の往復動切断工具。
【請求項５】
前記往復動機構は、
前記モータにより回転されるロッド駆動用偏心カムと、
当該ロッド駆動用偏心カムにより往復動し、前記ロッドの端部を支持するスライダと
を有する
ことを特徴とする請求項１ないし請求項４の何れかに記載の往復動切断工具。
【発明の詳細な説明】
【技術分野】
【０００１】
本発明は、ジグソーを始めとする、ブレードを往復動させて被加工材を切断する往復動切断工具に関する。
【背景技術】
【０００２】
下記特許文献１に示されるように、鋸刃（ブレード）を着脱可能であり、上下方向の基準線に沿って直線往復移動可能とされたプランジャ（ロッド）と、当該基準線に沿ってプランジャの上方で直線往復移動可能とされたバランスウェイトを備えた往復動鋸が知られている。
プランジャとバランスウェイトは、後方に突出する案内部材をそれぞれ有している。又、これらの案内部材を共通の楕円形の案内溝で受け入れるギアが配置されている。そして、ギアが回転することにより、案内溝において各案内部材を案内する。プランジャとバランスウェイトは、各案内部材が案内溝の短軸上との各交点に位置すると互いに最も近づき、各案内部材が案内溝の長軸上との各交点に位置すると互いに最も遠くなる。こうして、プランジャとバランスウェイトは、対称的な位置で往復運動する。
【０００３】
又、下記特許文献２に示されるように、ギア偏心部及びこれと反対側に配置されるニードルローラを前部に有するギアを回転し、ニードルローラを受け入れるスリーブないしコネクタを介してプランジャを上下に往復運動させると共に、ギア偏心部を受け入れる楕円孔を介してバランスウェイトを上下に往復運動させる往復運動工具が知られている。
ギアのニードルローラより、ギア偏心部が、前後方向で短く形成されており、バランスウェイトは、プランジャや刃物より後方に設置される。
又、バランスウェイトは、ベース部と、その前側に配置されるウェイト部に分けて形成されており、ウェイト部を比較的に重くすることにより、全体の重心位置がより前部となるようにされており、特許文献２の図１０，図１１に示されるような後方への又は前方へのモーメントが抑制されるものとなっている。
【先行技術文献】
【特許文献】
【０００４】
【特許文献１】特開２００１−３４７５０２号公報
【特許文献２】特開２０１１−１１５９１２号公報
【発明の概要】
【発明が解決しようとする課題】
【０００５】
特許文献１の往復動鋸では、プランジャや鋸刃とバランスウェイトが上下に並んでいて前後にずれていないため、後方への又は前方へのモーメントが発生せず、振動を抑制し易い。
しかし、プランジャやバランスウェイトとギアは隣接させなければならず、従って刃を前後に揺動させることができない。従って、刃にオービタル運動（上下動に伴う前後の揺動）をさせることができないので、切断力を増大することが不能となる。又、１個のギアに形成された１本の案内溝に、プランジャの案内部材とバランスウェイトの案内部材の双方を入れるので、プランジャとバランスウェイトの上下動が独立しておらず、バランスウェイトの動きとプランジャの動きは互いに従属して、それぞれ別個に調整することができない。
特許文献２の往復運動工具では、バランスウェイトの重心位置がより前部となるようにされているものの、バランスウェイト全体とプランジャが前後にずれていることに変わりはなく、結局後方への又は前方へのモーメントが発生してしまい、これに基づく振動や騒音が発生してしまう。
そこで、本発明は、後方への又は前方へのモーメントが発生せずに振動を抑制可能であり、切断力を増大するオービタル運動機構と併用可能であり、振動を抑制する機構の調整を可能とすることで振動をより一層抑制可能である往復動切断工具を提供することを主な目的とするものである。
【課題を解決するための手段】
【０００６】
上記目的を達成するために、請求項１に記載の発明は、モータと、ブレードを装着したロッドと、前記モータの回転を前記ロッドの往復動に変換して前記ブレードを往復動させる往復動機構と、前記ロッド及び前記ブレードの往復動の範囲外で、前記ロッドの往復動の方向に沿って往復動するカウンタウェイトとを備えており、前記カウンタウェイトの少なくとも一部は、前記ロッドの往復動の軌跡の延長線に交わるように配置されており、前記カウンタウェイトは、前記往復動機構による前記ロッドの往復動とは独立して往復動することを特徴とするものである。
請求項２に記載の発明は、上記発明において、前記カウンタウェイトは、カウンタウェイト駆動用偏心カムにより往復動し、前記カウンタウェイトの一部は、前記ロッドを挟んで、前記カウンタウェイト駆動用偏心カムの反対側まで突出していることを特徴とするものである。
請求項３に記載の発明は、上記発明において、前記カウンタウェイトは、ウェイト部及び当該ウェイト部を支持するプレート部を有しており、
当該プレート部は、前記ロッドの往復動方向に沿うプレート基部と、当該プレート基部から突出するウェイト支持部を有していることを特徴とするものである。
請求項４に記載の発明は、上記発明において、前記カウンタウェイトを案内するカウンタウェイトガイドが設けられていることを特徴とするものである。
請求項５に記載の発明は、上記発明において、前記往復動機構は、前記モータにより回転されるロッド駆動用偏心カムと、当該ロッド駆動用偏心カムにより往復動し、前記ロッドの端部を支持するスライダとを有することを特徴とするものである。
【発明の効果】
【０００７】
本発明の内、請求項１に記載の発明によれば、ロッドの往復動とカウンタウェイトの往復動を別々に調整することができ、ブレードにオービタル運動をさせるためにロッドを揺動を可能としても、カウンタウェイトを後方又は前方へのモーメントの発生が防止された状態で作動させて、適切に振動や騒音を抑制することができる、という効果を奏する。
又、請求項２に記載の発明によれば、上記効果に加えて、カウンタウェイトの重心をロッドの往復動軌跡の延長線上あるいはその隣接位置に配置することができ、後方又は前方へのモーメントの発生を防止して騒音や振動の発生を抑制することができる、という効果を奏する。
更に、請求項３に記載の発明によれば、上記効果に加えて、シンプルな構成により、カウンタウェイトの重心をロッドの往復動軌跡の延長線上あるいはその隣接位置に配置することができ、容易に騒音や振動の発生を抑制することができる、という効果を奏する。
加えて、請求項４に記載の発明によれば、上記効果に加えて、カウンタウェイトの往復動を安定したものとして、騒音や振動の発生をより一層抑制することができる、という効果を奏する。
又、請求項５に記載の発明によれば、上記効果に加えて、容易にロッドを揺動可能にすることができるし、スライダより奥においてロッドが往復動されずにスペースができるので、カウンタウェイトを振動騒音の抑制に効果的な位置に配置し易い、という効果を奏する。
【図面の簡単な説明】
【０００８】
【図１】本発明に係るジグソーの中央縦断面図である。
【図２】図１の前部拡大図である。
【図３】図１や図２のＡ−Ａ線断面図である。
【図４】図１や図２のＢ−Ｂ線断面図である。
【発明を実施するための形態】
【０００９】
以下、本発明の実施の形態やその変更例を、適宜図面に基づいて説明する。尚、本発明は、これらの形態や変更例に限定されない。
【００１０】
図１は往復動切断工具の一例としてのジグソー１の中央縦断面図であり、図２は図１の前部拡大図であり、図３はＡ−Ａ線断面図（後述の規制ローラ６４を付加したもの）であり、図４はＢ−Ｂ線断面図である。尚、図１，図２の右がジグソー１の前であり、図１，図２の上がジグソー１の上であり、図３，図４の右がジグソー１の左であり、図３，図４の上がジグソー１の上である。
ジグソー１は、動力部２と、往復動機構としての動力伝達部４と、装着したブレード６を上下動（上下の往復動作）させるロッド８と、上下動しているブレード６を前後方向に揺動させて楕円状の軌跡上を運動させるオービタル運動機構１０と、上下動させるブレード６やロッド８に対するカウンタウェイト１２と、ベース１４を有する。
【００１１】
動力部２は、電動のモータ２０を有する。モータ２０の回転軸２２は、モータ２０の前部に配置されている。回転軸２２の先端部には、歯が形成されている。
尚、モータ２０は、モータハウジング２４に収容されている。
【００１２】
動力伝達部４は、回転軸２２先端部の歯に噛み合う歯を有する中間ギヤ３０と、中間ギヤ３０の前側に配置されるクランク板３２と、中間ギア３０やクランク板３２の中央部を通る前後方向に沿った支持軸３４と、クランク板３２の前面周縁部から前方へ突出するように取り付けられるガイドローラ３６と、ガイドローラ３６を左右に往復移動可能に受け入れるスライダ３８と、スライダ３８を上下動可能に受け入れるガイドブロック４０を有する。
【００１３】
中間ギヤ３０は、回転軸２２の上方に配置されており、支持軸３４の周りで回転可能である。中間ギヤ３０と支持軸３４の間には、軸受４１，４１が介装されている。中間ギヤ３０は、円盤状のベース部３０ａの前部から第１偏心ボス部３０ｂが前方へ突出し、ベース部３０ａの後部から第２偏心ボス部３０ｃが後方へ突出するように形成されている。第１偏心ボス部３０ｂと第２偏心ボス部３０ｃは、中間ギヤ３０の回転中心（支持軸３４）に対して同じ側に偏心しており、第１偏心ボス部３０ｂは、第２偏心ボス部３０ｃよりも大きく偏心している。尚、中間ギヤ３０の歯は、ベース部３０ａの周面に形成されている。ベース部３０ａの径（歯数）は、モータ２０の回転軸２２の径（歯数）より大きいので、回転軸２２の回転は中間ギヤ３０により減速される。
クランク板３２は、中間ギヤ３０（第１偏心ボス部３０ｂ）の前端部に取り付けられており、中間ギヤ３０と共に支持軸３４の周りで回転可能である。
支持軸３４は、前ギヤハウジング４４ａと後ギヤハウジング４４ｂとの間に収容されており、ブッシュ４２を介して、後ギヤハウジング４４ｂに固定されている。尚、前ギヤハウジング４４ａ及び後ギヤハウジング４４ｂの上部は、本体ハウジング４６に収容される。本体ハウジング４６の上部はループ状に形成され、ハンドル４７として形成されている。ハンドル４７には、スイッチ４８及びこれを切替操作するためのトリガ４９が納められている。トリガ４９の下部は、ハンドル４７から（ループ内に向けて）露出している。スイッチ４８は、図示しないリード線により、モータ２０や図示しない電源コードと、電気的に接続されている。
【００１４】
ガイドローラ３６は、クランク板３２の回転中心に対して偏心した位置に取り付けられている。ガイドローラ３６は、第１偏心ボス部３０ｂとは反対側に偏心している（第１偏心ボス部３０ｂと１８０°の角度を持つように配置されている）。ガイドローラ３６は、クランク板３２の周縁部においてその前部から前方へ突出するように取り付けられた、クランク板３２と一体の軸３２ａに、回転可能に支持されており、左右に回転可能である。
スライダ３８は、左右方向に延びる横長の部材である。スライダ３８は、左右方向に延びる、後方へ開いた断面Ｕ字状の溝部分を有しており、当該溝部分には、ガイドローラ３６が入っている。ガイドローラ３６は、スライダ３８の溝部分において自転することにより、当該溝部分に沿って移動可能である。
スライダ３８の溝部分の左右両側には、外側へ張り出す張り出し縁がそれぞれ設けられている。又、スライダ３８の下面（溝部分の下側）の中央部には、下方へ突出する支持片５０，５０が左右に設けられており、各支持片５０には、左右方向の孔が開けられている。
ガイドブロック４０は、内側に開いた断面Ｕ字状のガイド溝部４０ａを左右に有する部材である。各ガイド溝部４０ａは、前壁部分・側壁部分・後壁部分を有している（図３において前壁部分が示されている）。
ガイドブロック４０は、ボルト５２，５２を介して前ギヤハウジング４４ａに固定されている。
各ガイド溝部４０ａには、スライダ３８の左又は右の張り出し縁が入れられており、スライダ３８が、ガイドブロック４０に対し、ガイド溝部４０ａ，４０ａにより案内された状態で上下動可能に組み合わせられている。
スライダ３８の各支持片５０には、左右方向に沿う１本の支持軸５４が挿入されている。各支持片５０の孔の径と支持軸５４の径とは同等とされており、支持軸５４は支持片５０，５０に対し固定されている。
クランク板３２が回転してガイドローラ３６が変位（公転）すると、ガイドローラ３６の上下方向の変位成分がスライダ３８に伝達される。よって、スライダ３８は、ガイドローラ３６を介し、ガイドブロック４０に沿って上下動する。尚、ガイドローラ３６の公転における左右方向の変位成分は、ガイドローラ３６がスライダ３８内で自転し左右に往復することにより、スライダ３８には伝達されない。
【００１５】
ロッド８は、上下に延びる角柱（前後に沿う二面と左右に沿う二面を有する四角柱）状の部材であり、ロッド上端部６０において孔を有していて、当該孔にスライダ３８の支持軸５４が通されている。当該孔の径と支持軸５４の径とは同等であり、当該孔と支持軸５４とは互いに固定されていない。ロッド８は、支持軸５４の周りで揺動可能に、スライダ３８に取り付けられており、スライダ３８は、ロッド８の上端部を揺動可能に支持している。スライダ３８の支持片５０，５０の間隔はロッド８上端部の左右幅と同様であり、ロッド８（の左右の面）が対応する支持片５０（の内面）に接するので、ロッド８の左右方向におけるがたつきが防止される。
ロッド８は、ブッシュ６２を介し、所定の揺動や上下動を許容する状態で前ギヤハウジング４４ａに収められている。ブッシュ６２は、筒状であり、その内面がロッド８の下部外面に隣接するように配置されている。
ロッド８の下面からは、ブレード６の上端部６ａを受け入れて把持可能なチャック穴が形成されている。
ロッド８の前側には、ロッド８の前方への揺動を規制する規制ローラ６４が配置されている。規制ローラ６４は、板バネ６６の先端部に取り付けられており、常時適度な押圧力でロッド８の前面に押し付けられている。板バネ６６は、ガイドブロック４０と共に、ボルト５２により固定されている。
【００１６】
オービタル運動機構１０は、中間ギヤ３０の第２偏心ボス部３０ｃと連動して上下動するカムプレート７０と、カムプレート７０の下側に配置されるホルダ７２と、ホルダ７２の上側に配置される切替レバー７４と、軸７５を介してホルダ７２に回転可能に支持されるバックローラ７６を有する。
カムプレート７０は、上下左右に広がる板状の部材であって、上部に第２偏心ボス部３０ｃと同等の大きさの孔を有しており、当該孔に第２偏心ボス部３０ｃが入っている。中間ギヤ３０が回転して第２偏心ボス部３０ｃが回転移動すると、カムプレート７０も上部の孔を中心に回転移動（上下動ないし左右の移動）をする。第２偏心ボス部３０ｃは比較的に偏心量が小さいので、カムプレート７０の移動量も比較的に小さい。
ホルダ７２は、前方へ曲がる側面視Ｊ字状のホールド部７２ａと、ホールド部７２ａの上部から後方に延びるアーム片７２ｂを有する。ホルダ７２は、ホールド部７２ａの上端部において軸７２ｃにより揺動可能に支持される。軸７２ｃは、後ギアハウジング４４ｂに固定されている。又、ホールド部７２ａの下前部に、バックローラ７６が配置される。更に、アーム片７２ｂの上側に、カムプレート７０の下端部が接触可能である。カムプレート７０の上下動により、カムプレート７０の下端部がアーム片７２ｂに繰り返し押され、ホルダ７２が揺動する。
切替レバー７４は、左右方向に沿う半円柱状の部材であり、曲面を下にする（平面を上にする）ように操作すると、曲面がアーム片７２ｂの上部に当たり、ホルダ７２が揺動不能に規制される。他方、切替レバー７４は、曲面が上となるように操作されると、アーム片７２ｂの上部から離れ、ホルダ７２の揺動を許容する。
バックローラ７６は、ブレード６の後辺に沿って自転可能であり、又ブレード６を後方から押すことが可能である。
ホルダ７２の揺動を許容するように切替レバー７４を切り替えた場合、第２偏心ボス部３０ｃとガイドローラ３６の取付位置とは逆側に偏心しているので、ロッド８が上に移動すると、カムプレート７０が下降して、ホルダ７２を介しバックローラ７６は前方へ揺動し、ロッド８が下に移動すると、カムプレート７０が上昇してホルダ７２から離れ、バックローラ７６は揺動前進位置から後方の揺動開始位置へ復帰する。従って、バックローラ７６は、ブレード６の上昇に合わせてブレード６を前方へ押し、ブレード６の下降時にはブレード６を押さず、ブレード６をオービタル運動させる。
【００１７】
カウンタウェイト１２は、中間ギヤ３０の第１偏心ボス部３０ｂと連動して上下動するプレート部としてのプレート８０と、プレート８０に支持されるウェイト部としてのウェイト８２を有する。
【００１８】
プレート８０は、上下左右に広がるカム板部８４（プレート基部）と、カム板部８４の上部から前方へ突出した水平なウェイト取付部８６（ウェイト支持部）を有する。
カム板部８４は、中央部にカム孔８８を有している。カム孔８８の開口部の上下には、後方へ突出する水平なカム片９０，９０が設けられている。カム片９０，９０は、第１偏心ボス部３０ｂの外面の上部又は下部に接触している。カム孔８８の左右の大きさは、第１偏心ボス部３０ｂの回転移動（左右方向における移動）を許容する程度とされており、即ち、第１偏心ボス部３０ｂの最大偏心部分が左（右）となった状態においても、第１偏心ボス部３０ｂがカム孔８８の中に位置可能な大きさとされている。
中間ギヤ３０が回転して第１偏心ボス部３０ｂが変位すると、第１偏心ボス部３０ｂの上下方向の変位成分がカム片９０，９０に伝達され、プレート８０がウェイト８２と共に上下動する。尚、第１偏心ボス部３０ｂの左右方向の変位成分は、第１偏心ボス部３０ｂがカム片９０，９０に沿ってカム孔８８内でスライドすることにより、プレート８０には伝達されない。
プレート８０のウェイト取付部８６は、ロッド８やスライダ３８と最も接近した状態（図示の状態）でも間隔があるように配置されており、ロッド８やスライダ３８の上下動範囲外で上下動するように配置されている。尚、ウェイト取付部８６とロッド８の間には、前ギヤハウジング４４ａの上部が位置している。又、プレート８０のウェイト取付部８６は、ロッド８の下方には配置されず、ブレード６の上下動範囲外で上下動する。
【００１９】
ウェイト８２は、ブロック状で金属製の部材であり、プレート８０のウェイト取付部８６の上側に載せた状態で、下方からボルト９２，９２を入れることで取り付けられている。
ウェイト８２は、ロッド８の上方に配置されている。
ウェイト８２の重量は、次のように設定されている。即ち、ウェイト８２・プレート８０の重量（第１偏心ボス部３０ｂに基づき上下動される部材の合計重量）と、ロッド８・ブレード６・スライダ３８の重量（ガイドローラ３６に基づき上下動される部材の合計重量）とが、釣り合うように設定されている。
ウェイト８２及びウェイト取付部８６の一部は、ロッド８の前方に配置され、即ち第１偏心ボス部３０ｂの配置された側とロッド８を挟んで反対側のロッド８前方まで突出している。そして、ウェイト８２の前後方向における中央位置（重心位置）は、ロッド８の前後方向における中央位置の前側に配置される。このような配置により、ウェイト８２とプレート８０を合わせた場合の重心位置は、実質的にロッド８の真上となる。即ち、カウンタウェイト１２の少なくとも一部は、ロッド８の（揺動を考慮しない）上下動の軌跡の延長線（基準線）に交わるように配置され、カウンタウェイト１２の重心は、ロッド８の上下動軌跡の延長線上あるいはその隣接箇所に配置される。
又、ウェイト８２の前側には、上下左右に広がる金属製のガイドプレート９４が配置されている。ガイドプレート９４は、ウェイト８２の前面（平面）に対応する後面（カウンタウェイトガイド面）を有しており、ウェイト８２の前面はガイドプレート９４の後面に接触している。ガイドプレート９４は、下端部を本体ハウジング４６に固定することで、本体ハウジング４６に対し取り付けられている。ガイドプレート９４は、前ギヤハウジング４４ａの前方に配置されている。
【００２０】
第１偏心ボス部３０ｂとガイドローラ３６の取付位置とは逆側に偏心している。よって、ロッド８が上に移動するとカウンタウェイト１２は下に移動し（図示の状態）、ロッド８が下に移動するとカウンタウェイト１２は上に移動するといったように、互いに逆方向に（１８０°異なる位相で）上下動する。従って、ロッド８と、カウンタウェイト１２のウェイト取付部８６及びウェイト８２は、これらの中間の水平面を基準として対称的な位置関係にあるように上下動する。尚、カウンタウェイト１２のウェイト取付部８６は、ロッド８の上方に配置されていると共に、ロッド８やスライダ３８と間隔を取っており、これらに接触することがないので、カウンタウェイト１２は、ブレード６やロッド８の上下動の範囲外で上下動する。
又、カウンタウェイト１２（プレート８０のウェイト取付部８６とウェイト８２）は、ロッド８の上下動方向に交わるよう、ロッド８の上方に配置されている。
そして、ロッド８の重量とカウンタウェイト１２の重量は実質的に同等にされている。
これらのことから、ロッド８の上下動により発生する振動が、カウンタウェイト１２の上下動により打ち消され、抑制される。
クランク板３２及びガイドローラ３６（ロッド駆動用偏心カム）と、中間ギヤ３０の第１偏心ボス部３０ｂ（カウンタウェイト駆動用偏心カム）とは、偏心量や位相等をそれぞれ別個に設定可能であり、ガイドローラ３６によるロッド８の上下動は、第１偏心ボス部３０ｂによるカウンタウェイト１２の上下動から独立している。換言すれば、ジグソー１においては、ロッド８を上下動させる第１の偏心カム（ロッド駆動用偏心カム）とは異なる第２の偏心カム（カウンタウェイト駆動用偏心カム）により、カウンタウェイト１２を上下動させている。
カウンタウェイト１２の上下動は、ウェイト８２の前面がガイドプレート９４の後面に接触した状態で行われ、ウェイト８２が前方へのモーメントを受けたとしても、ガイドプレート９４に支えられて、上下方向に沿った上下動が保持される。
【００２１】
ベース１４は、下面がほぼ平面である部材であり、その上部を、後ギヤハウジング４４ｂの下部に対し結合することで設置されている。
【００２２】
このようなジグソー１の動作例を説明する。
作業者は、停止状態のロッド８にブレード６を鋸歯が前となるようにセットし、被加工材にベース１４の下面前部を当てる。そして、電源コードを電源に接続した状態で、ハンドル４７を把持し、トリガ４９の操作によりスイッチ４８をオンにすると、モータ２０への給電がなされ、回転軸２２が回転し、中間ギア３０やクランク板３２が一体で回転する。
クランク板３２の回転により、ガイドローラ３６及びスライダ３８を介して、ロッド８が上下動する。中間ギア３０の第１偏心ボス部３０ｂの回転により、カウンタウェイト１２が上下動する。中間ギア３０の第２偏心ボス部３０ｃの回転により、カムプレート７０が上下動し、切替レバー７４が揺動許容位置に切り替えられていると、ホルダ７２を介してバックローラ７６が揺動する。これらの上下動や揺動は、互いに同じ回数（中間ギア３０及びクランク板３２の１回転毎に１回）で行われる。
揺動するバックローラ７６は、ブレード６の上昇に合わせてブレード６を前方へ押し、ブレード６の下降時にはブレード６を押さず、ブレード６をオービタル運動させる。
【００２３】
又、ロッド８は、これと対称的に上下動するカウンタウェイト１２により、振動が抑制された状態で上下動する。
ロッド８ないしブレード６の作動状態で、作業者がハンドル部３８を前方に押していくと、上下動するブレード６前辺の鋸歯が被加工材に当たり、前後方向を切断方向として被加工材が切断されていく。ブレード６をバックローラ７６により押してオービタル運動させながら被加工材を切断すれば、ブレード６を上方に移動させると共に前方へ押すこととなるので、オービタル運動させない場合に比べ、切断力が大きく（押す操作が軽く）なる。オービタル運動させた場合に、前方へ押されたブレード６は、規制ローラ６４を介して板バネ６６の弾性力を受け、規制ローラ６４により前方への行き過ぎを規制される。尚、被加工材の切断時において、ブレード６は被加工材から後方への力（切断抵抗）を受ける。
作業者がトリガ４９の操作によりスイッチ４８をオフにすると、モータ２０の回転軸２２が停止して、各種の上下動や揺動が停止する。
【００２４】
以上のジグソー１は、モータ２０と、ブレード６を装着したロッド８と、モータ２０の回転をロッド８の上下動に変換してブレード６を上下動させる動力伝達部４と、ロッド８及びブレード６の上下動の範囲外で、ロッド８の上下動の方向に沿って上下動するカウンタウェイト１２とを備えており、カウンタウェイト１２の少なくとも一部は、ロッド８の上下動の軌跡の延長線に交わるように配置されており、カウンタウェイト１２は、動力伝達部４によるロッド８の上下動とは独立して上下動する。
よって、ロッド８の上下動に依存することなく、カウンタウェイト１２の上下動を調整することができ、ロッドの上下動による振動や騒音の発生をより一層抑制することができる。又、カウンタウェイト１２の上下動に依らずにロッド８の上下動を行うことができ、ブレード６にオービタル運動をさせるためにロッド８を上下動に加え揺動を可能としても、カウンタウェイト１２を後方への又は前方へのモーメントの発生が防止された状態で作動させることができ、ロッド８等の上下動に基づき発生し得る振動や騒音を抑制することができる。更に、ロッド８のストローク量とカウンタウェイト１２のストローク量を別々に設定できるため、より軽いカウンタウェイト１２で充分な遠心力を発生させ、効果的に振動や騒音を抑制することが可能となる。
【００２５】
又、カウンタウェイト１２は、第１偏心ボス部３０ｂにより上下動し、カウンタウェイト１２の一部は、ロッド８を挟んで、第１偏心ボス部３０ｂの反対側まで突出している。
よって、カウンタウェイト１２をロッド８とは独立して駆動しながら、カウンタウェイト１２の重心をロッド８の上下動軌跡の延長線上に配置し、あるいは当該延長線になるべく近づけて配置することができ、ロッド８やカウンタウェイト１２における後方への又は前方へのモーメントの発生を防止することができ、ジグソー１における騒音や振動の発生を抑制することが可能となる。
更に、カウンタウェイト１２は、ウェイト８２及びウェイト８２を支持するプレート８０を有しており、プレート８０は、ロッド８の上下動方向に沿うカム板部８４と、カム板部８４から突出するウェイト取付部８６を有している。
よって、シンプルな構成により、カウンタウェイト１２の重心をロッド８の上下動方向に配置することができ、騒音や振動の発生を抑制することができる。
又更に、カウンタウェイト１２を案内するガイドプレート９４が設けられている。
よって、カウンタウェイト１２の上下動を（設計上の上下動範囲から逸脱してモーメントを発生させる事態を防止することで）安定したものとして、騒音や振動の発生を効果的に抑制することができる。
加えて、動力伝達部４は、モータ２０により回転されるクランク板３２及びガイドローラ３６と、クランク板３２及びガイドローラ３６により往復動し、ロッド８の上端部を支持するスライダ３８とを有する。
よって、容易にロッド８を揺動可能にすることができるし、スライダ３８の上方にロッド８が配置されずにスペースができるので、カウンタウェイト１２（の一部）を配置し易い。
【００２６】
尚、本発明は上記形態に限定されず、例えば次のような変更を適宜施すことができる。
中間ギヤとクランク板は異なる軸で支持されても良い。中間ギヤとクランク板は別個の駆動源で回転されても良い。中間ギヤとクランク板は一体であっても良い。各種偏心ボス部は互いに別体であっても良く、互いに異なる軸で支持されても良く、互いに別個の駆動源で駆動されても良い。
往復動方向は、前後方向であっても良く、カウンタウェイトの一部がロッドの後方に配置されても良い。このとき、カウンタウェイト駆動用偏心カムをロッドの上方に配置し、カウンタウェイトの一部をロッドの下方に突出させることができる。
ウェイトは、プレートと接着することにより固定されても良い。プレートとウェイトは、一体とされても良い。プレートのプレート基部とウェイト取付部は、別体とされ、互いに組み合わせられるようにされて良い。プレートやウェイトは、合成樹脂製とされても良い。
カウンタウェイトガイドは、ウェイトの前面に合致する曲面としても良いし、ウェイトに形成した溝に入る突起としても良いし、ウェイト以外の部分を案内するものとしても良いし、本体ハウジングを始めとする各種ハウジングの内面としても良い。
スライダとロッドの間の支持軸に、軸受を付加しても良く、その軸受をガイドブロックのガイド溝部に入れても良い。
ロッドにつき、円柱状や楕円柱状や六角柱状等とすることができる。
ブレードにつき、鋸歯以外の刃を有するものとして良い。
電源コードによる給電に代えて、バッテリによる給電として良く、そのバッテリを本体ハウジング等に装着可能として良い。
【符号の説明】
【００２７】
１・・ジグソー（往復動切断工具）、４・・動力伝達部（往復動機構）、６・・ブレード、８・・ロッド、１２・・カウンタウェイト、２０・・モータ、３０・・中間ギヤ、３０ｂ・・第１偏心ボス部（カウンタウェイト駆動用偏心カム）、３２・・クランク板（ロッド駆動用偏心カムの一部）、３６・・ガイドローラ（ロッド駆動用偏心カムの一部）、３８・・スライダ、８０・・プレート（プレート部）、８２・・ウェイト（ウェイト部）、８４・・カム板部（プレート基部）、８６・・ウェイト取付部（ウェイト支持部）、９４・・ガイドプレート（カウンタウェイトガイド）。
【図１】
2014217927.tif 000003
【図２】
2014217927.tif 000004
【図３】
2014217927.tif 000005
【図４】
2014217927.tif 000006